(57)【特許請求の範囲】
【請求項１】
画像形成装置から順次排出される一連の記録シートを収容して、所定のシート束を形成する丁合いトレイと、かかるシート束に対して後処理を行なう後処理ユニットと、上記丁合いトレイに収容された記録シートの両側端に適宜当接して上記シート束の整合処理を行うと共に、必要に応じて上記シート束をその搬送方向と直交する方向へ移動させるオフセット処理を行う一対のタンパとを備えたシート後処理装置において、
上記後処理ユニットを上記タンパの移動方向に沿って移動可能に配設すると共に、上記オフセット処理に当たっては当該後処理ユニットを一対のタンパと共に移動させることを特徴とするシート後処理装置。
【請求項２】
請求項１記載のシート後処理装置において、上記シート束の整合処理を行なう一対のタンパが同一の駆動系で駆動されると共に、上記オフセット処理に当たっては、シート束のオフセット方向に位置する一方のタンパが他方のタンパと共に移動する上記後処理ユニットに押圧されて移動することを特徴とするシート後処理装置。
【発明の詳細な説明】
【０００１】
【発明の属する技術分野】
本発明は、複写機等の画像形成装置から排出される記録シートに対して丁合い処理、ステープリング処理等を行なうシート後処理装置に係り、詳細には、丁合いされたシート束のオフセット処理をなし得る装置の改良に関する。
【０００２】
【従来の技術】
この種のシート後処理装置としては二つのシート収容トレイ、即ち、複写機等から排出された一連の記録シートを整合しながら収容して所定のシート束を形成する丁合いトレイと、この丁合いトレイ上で形成されたシート束が順次排出されて積み上げられる排出トレイとを備え、上記丁合いトレイに対して配設されたステープラ、パンチャ等の後処理ユニットで上記シート束に対して所定の後処理を行うものが知られている。
【０００３】
また、丁合いトレイ上で整合されたシート束をそのまま排出トレイへ積み上げたのではシート束毎の区分が排出トレイ上で不明確となり易いことから、これら従来のシート後処理装置では所謂オフセット処理、すなわちシート束を千鳥状にずらして（オフセットして）丁合いトレイから排出する処理が行なわれており、かかる処理は特にシート束に対してステープリング処理等の綴じ処理を施さない場合に有効である。
【０００４】
従来、このオフセット処理を実施するための機構としては、記録シートをその排出方向と直交する方向に移動させるシート搬送ロールを新たに設け、この搬送ロールを用いて上記丁合いトレイ上で記録シートをオフセットさせるもの（実開平３−５３９５３号公報、特開昭５５−１６５８５２号公報等）が知られているが、かかる搬送ロールはオフセット処理専用の機構であり、装置の複雑化及び生産コストの上昇を招くといった欠点を有している。
【０００５】
一方、この種のシート後処理装置ではステープリング処理等に先立ってシート束の整合処理を行なう必要があることから、丁合いトレイに収容されている記録シートの両側端に適宜当接してシート束の整合を行なうタンパが設けられているものが多々有り、特開平６−２２７７３３号公報にはこのタンパを利用してオフセット処理を行なうシート後処理装置が開示されている。
【０００６】
具体的には、一対のタンパを互いに対向する方向へ移動させることによりシート束の整合処理を行なう一方、シート束を両側から挟み込んだこれらタンパ対を同一方向へ移動させることによって当該シート束をオフセットさせるように構成されており、オフセット処理専用の機構を追加することなく当該オフセット処理が可能となっている。
【０００７】
【発明が解決しようとする課題】
しかし、このようにタンパの押圧力によってシート束をオフセットさせる場合、タンパに押圧されたシート束が丁合いトレイに対して配設されている後処理ユニットに引っ掛かってバックリングと呼ばれる撓みを生じ易く、シート束がオフセットし難い他、バックリングを生じたシート束が不意に伸長した場合にはせっかくの整合状態が崩れてしまうといった問題点があった。
【０００８】
また、シート束の整合処理を行なっている一対のタンパをオフセット処理にも利用しようとすれば、これらタンパの移動方向の組合せは整合処理とオフセット処理とで異なったものとなることから、夫々のタンパを独立して駆動する必要が生じ、タンパの駆動機構が複雑化せざるを得ないという問題点があった。
【０００９】
本発明はこのような問題点に鑑みなされたものであり、その目的とするところは、シート束の整合処理を行なう一対のタンパを利用して当該シート束のオフセット処理を行なうに当たり、シート束のバックリングを防止して円滑なオフセット処理を可能とするシート後処理装置を提供することにある。
【００１０】
また、本発明の他の目的は、シート束の整合処理及びオフセット処理の双方を行なう一対のタンパを一つのモータで駆動することができ、簡易且つ安価な構成で上記オフセット処理を行なうことが可能なシート後処理装置を提供することにある。
【００１１】
【課題を解決するための手段】
上記目的を達成するために、本発明のシート後処理装置は、画像形成装置から順次排出される一連の記録シートを収容して、所定のシート束を形成する丁合いトレイと、かかるシート束に対して後処理を行なう後処理ユニットと、上記丁合いトレイに収容された記録シートの両側端に適宜当接して上記シート束の整合処理を行うと共に、必要に応じて上記シート束をその搬送方向と直交する方向へ移動させるオフセット処理を行う一対のタンパとを備えたシート後処理装置において、上記後処理ユニットを上記タンパの移動方向に沿って移動可能に配設すると共に、上記オフセット処理に当たっては当該後処理ユニットを一対のタンパと共に移動させることを特徴とするものである。
【００１２】
本発明によれば、丁合いトレイに収容されたシート束は一対のタンパによって当該丁合いトレイ上でオフセットされるのだが、かかるシート束に対してステープリング処理やパンチング処理を施す後処理ユニットを上記タンパの移動方向に沿って移動可能に配設し、オフセット処理が行なわれる際にはかかる後処理ユニットをタンパと共に移動させるようにしたので、タンパに押圧されてオフセットするシート束が後処理ユニットに引っ掛かってバックリングを生じることがなく、オフセット処理を円滑に行なうことができる。
【００１３】
このような技術的手段において、装置の複雑化を避けるという観点からすれば、シート束の整合処理を行なう一対のタンパは同一の駆動系によって駆動されるのが好ましいが、それではオフセット処理の際にこれらタンパ対を同一方向に動かすことが困難となる。そこで、本発明ではオフセット処理時に後処理ユニットがタンパと共に移動することから、かかるオフセット処理の際にはシート束のオフセット方向に位置する一方のタンパを後処理ユニットによって押圧し、これによって当該タンパをオフセット方向へ移動させるように構成するのが好ましい。かかる構成によれば、一対のタンパを同一の駆動系で駆動しながらも、シート束の整合処理及びオフセット処理の双方を行なうことができ、装置構成の簡略化を図ることができる。
【００１４】
【実施例】
以下、添付図面に基づいて本発明のシート後処理装置を詳細に説明する。
図１はレザービームプリンタ等の画像形成装置に付設して使用される本発明のシート後処理装置（以下、フィニッシャと記す）の一実施例を示すものであり、同図において、符号２は画像形成装置から排出された記録シート１を導入し搬送するシート搬送路、符号３は導入された記録シート１を順次収容し丁合いするコンパイラトレイ、符号４は上記コンパイラトレイ３で丁合いされた記録シート１の束が、又は上記シート搬送路２から記録シート１が直接排出される排出トレイ、符号５は上記コンパイラトレイ３上で形成されたシート束に対してステープリング処理を行なうステープラである。
【００１５】
先ず、上記シート搬送路２は複数の搬送ロール２１を備えると共に、その出口には記録シート１の排出方向を上記コンパイラトレイ３又は排出トレイ４へ切り替える排出切換器６が設けられており、傾斜して配置されたコンパイラトレイ３の上部へ向けて記録シート１を排出するように構成されている。かかる排出切換器６は駆動ロール６１及びこの駆動ロール６１を中心として遊星状に回転するオービットロール６２から構成されており、図中に実線で示す位置にオービットロール６２を保持したままの状態で記録シート１を排出すると、当該記録シート１はそのまま排出トレイ４へ向けて送り出される一方、駆動ロール６１とオービットロール６２との間に記録シート１の先端をニップした状態で当該オービットロール６２を破線で示す位置に移動させると、記録シート１はループを形成しながら表裏が反転されてコンパイラトレイ３へ収容される。また、上記シート搬送路２を形成しているガイド板のうち、排出切換器６の手前側上部のガイド板２２は上記オービットロール６２の動きに合わせて跳ね上がるようになっており、記録シート１がより大きなループを形成して円滑に表裏反転できるようになっている。
【００１６】
一方、上記コンパイラトレイの最上端には上記排出トレイへ向けて記録シートを送り出す排出ロール２３及びこの排出ロール２３に対して接離自在なクランパ２４が設けられており、シート搬送路２からの記録シート１の排出方向により上記クランパ２４の開閉が行なわれるようになっている。すなわち、シート搬送路２から排出トレイ４へ記録シート１を排出する場合には、上記クランパ２４が図中の実線位置に保持されて上記排出ロール２３の搬送力が記録シート１に伝達される一方、シート搬送路２からコンパイラトレイ３へ記録シート１を収容する場合には、上記クランパ２４が図中の破線位置に保持されて記録シート１の後端の当該クランパ２４への引っ掛かりが防止される。
【００１７】
また、このクランパ２４を開放した状態で記録シート１を排出トレイ４へ向けてシート搬送路２から送り出せば、記録シート１は表裏反転することなく自重でコンパイラトレイ３に落下することから、記録シート１の表裏を反転させることなく記録シート１をコンパイラトレイ３へ収容することもできる。
【００１８】
従って、このフィニッシャでは上記オービットロール６２及びクランパ２４の動作の組合せによって、画像形成装置から排出された記録シートをそのままの状態でコンパイラトレイ３へ収容することも、表裏反転させてコンパイラトレイ３へ収容することもでき、上記ステープラ５がコンパイラトレイの一方の側からのみステープル針を打ち込むものであっても、シート束の表裏いずれの側からもステープリング処理を行なうことが可能となっている。
【００１９】
一方、上記コンパイラトレイ３の略中央には上部ヘッド５１及び下部ヘッド５２に分割されたステープラ５が配設されており、コンパイラトレイに収容された記録シートはこれら上部ヘッド５１及び下部ヘッド５２の間に挿入されるようになっている。コンパイラトレイ３のステープラ５に対応する位置には当該トレイ３に収容された記録シート１の下端を係止するストッパ３１が出没自在に設けられており、かかるストッパ３１を用いて記録シート１を係止した場合には、当該記録シート１の端部に対してステープル針を打ち込む所謂端綴じモードのステープリング処理を行ない得るようになっている。また、この端綴じ用ストッパ３１よりも僅かに上方にはコンパイラトレイ３に収容された記録シートを当該ストッパ３１に向けて摺擦するパドルホイール３２が設けられており、上記端綴じ用ストッパ３１と相俟って記録シート１の整合を行なうように構成されている。
【００２０】
また、コンパイラトレイ３の下端部には同じく出没自在なストッパ３３とパドルホイール３４とが設けられており、かかるストッパ３３を用いて記録シート１を係止した場合には、当該記録シート１の長さ方向の中央に対してステープル針を打ち込む所謂中綴じモードのステープリング処理を行ない得るようになっている。この中綴じモードのステープリング処理においては、記録シート１のサイズに拘わらずその長さ方向の中央をステープリング処理位置Ｔに対応させる必要かあることから、上記中綴じ用ストッパ３３及びパドルホイール３４はコンパイラトレイ３に沿って移動自在に配設されており、例えばＡ３サイズの記録シート１に対して中綴じモードのステープリング処理を行なう場合には、コンパイラトレイ３の最下端（図中に破線で示す位置）にまで移動して位置決めされるようになっている。
【００２１】
更に、中綴じ用ストッパ３３とステープラ５との間には搬送ロール３５及びこの搬送ロールと接離自在なクランパ３６が設けられており、中綴じモードでステープリング処理のなされた記録シート束をコンパイラトレイ１から排出できるようになっている。尚、上記クランパ３６は記録シート１をコンパイラトレイ３に収容する際には、かかる収容を妨げないよう搬送ロール３５から離間している。
【００２２】
このフィニッシャの図示外の下方には紙折り装置が設けられており、中綴じモードによってステープリング処理のなされたシート束はコンパイラトレイ３の下端に設けられたシート排出路３７から当該紙折り装置に向けて排出され、ステープリング処理に引き続いて紙折り処理がなされるようになっている。また、上記シート排出路３７の入口にはゲート３８が設けられており、シート束の排出タイミングに合わせてシート排出路３７を開放するようになっている。
【００２３】
図２は上記ステープラ５を示すものである。
かかるステープラ５は前述の通り上部ヘッド５１及び下部ヘッド５２に分割されており、下部ヘッド５２にはステープル針をシート束に打ち込むステッチャ部材５３が、上部ヘッド５１にはステープル針の先端部を折り曲げるクリンチャ部材５４が夫々搭載されている。従って、このステープラ５はコンパイラトレイ３に収容された記録シート１に対して下側からステープル針を打ち込むことになる。
【００２４】
また、上部ヘッド５１はガイドシャフト５５ａ，５５ｂに、下部ヘッド５２はガイドシャフト５６ａ，５６ｂに夫々案内されており、上記コンパイラトレイ３の幅方向（図１の紙面垂直方向）に沿って張り渡された一対のタイミングベルト５７，５８の回転に応じて当該方向へ移動するように構成されている。これらタイミングベルト５７，５８はモータ５９によって駆動されるドライブシャフト６０に架け回されており、かかるモータ５９の正逆回転に応じて上部ヘッド５１及び下部ヘッド５２が共に移動し、コンパイラトレイ３に収容されたシート束の任意の位置にステープリング処理を行ない得るようになっている。
【００２５】
次に、図３は上記ステープラ５の両側に配設された一対のタンパ７ａ，７ｂを示すものである。
これらタンパ７ａ，７ｂは中綴じモードのステープリング処理の際に、ステープラ５に挿通された記録シート１の両側端を叩く所謂タンピング動作を行ない、ステープリング処理に先立ってコンパイラトレイ３上のシート束の整合処理を行なう。
【００２６】
上記タンパ７ａ，７ｂは共にガイドシャフト７１ａ，７１ｂに案内されており、上記コンパイラトレイ３の幅方向（図１の紙面垂直方向）に沿って自在に移動可能となっている。但し、上記ガイドシャフト７１ａのフロント側（紙面手前側）の端部、並びに上記ガイドシャフト７１ｂのリヤ側（紙面送側）の端部にはこれらタンパ７ａ，７ｂのホームポジションを形成するストッパ７２，７３が夫々設けられており、上記タンパ７ａ，７ｂはこれらストッパ７２，７３を越えて移動することができないようになっている。
【００２７】
また、フロント側タンパ７ａにはプーリ７４ａ，７５ａに架け回された駆動ワイヤ７６が接続される一方、リヤ側タンパ７ｂにもプーリ７４ｂ，７５ｂに架け回された駆動ワイヤ７７が接続されており、上記プーリ７４ａ，７４ｂは同一のドライブシャフト７８に嵌合している。従って、かかるドライブシャフト７８をモータ７９によって回転させることにより駆動ワイヤ７６，７７が循環し、一対のタンパ７ａ，７ｂが同時に同一距離だけ移動するようになっている。但し、フロント側タンパ７ａの駆動ワイヤ７６とリヤ側タンパ７ｂの駆動ワイヤ７７は互いに逆方向に架け回されているので、上記ドライブシャフト７８の回転によってフロント側タンパ７ａとリヤ側タンパ７ｂは互いに逆方向へ移動することになる。
【００２８】
更に、上記プーリ７４ａ，７４ｂは夫々スリップクラッチ８０，８１を介してドライブシャフト７８に嵌合しており、タンパ７ａ，７ｂに対して所定以上の外力が作用した場合にはプーリ７４ａ，７４ｂがドライブシャフト７８に対してスリップを生じるようになっている。例えばフロント側のステープリング処理位置に向けて移動していたステープラ５がタンパ７ａと干渉した場合には、ステープラ５の押圧力によってプーリ７４ａとドライブシャフト７８との間にスリップが発生し、タンパ７ａはステープラ５と共にフロント側へ移動することになる。従って、このフィニッシャではタンパ７ａ，７ｂの停止位置に拘わらずステープラ５を移動させることが可能となっている。
【００２９】
尚、このようにプーリ７４ａ，７４ｂとドライブシャフト７８との間にスリップが発生すると、フロント側タンパ７ａとリヤ側タンパ７ｂとの位置関係に狂いが生じることになるが、かかる場合であってもこれらタンパ７ａ，７ｂをフロント側ストッパ７２及びリヤ側ストッパ７３に当接するホームポジションまで後退させることにより、やはりスリップクラッチ８０，８１の作用によって両タンパ７ａ，７ｂの位置関係をイニシャライズすることができる。
【００３０】
このように本実施例のフィニッシャではフロント側タンパ７ａとリヤ側タンパ７ｂとが互いに対向する方向へ同時に且つ同一距離だけ移動するので、シート搬送路の幅方向の中央に記録シート１の搬送基準が設定されている所謂センタレジの場合に好適な構造となっている。すなわち、図４（ａ）に示すように、センタレジ基準に対してフロント側ストッパ７２及びリヤ側ストッパ７３を対称に配置しておけば、これらストッパ７２，７３によってイニシャライズされた両タンパ７ａ，７ｂは互いに等距離ｘ1 を移動することで記録シート１の側端に当接するからである。
【００３１】
しかし、シート搬送路のフロント側に記録シート１の搬送基準が設定されている所謂サイドレジの場合には、図４（ｂ）に示すように、フロント側タンパ７ａの移動距離ｘ2 に対してリヤ側タンパ７ｂの移動距離ｘ3 を大きく設定する必要があり、サイドレジでコンパイラトレイ３に収容された記録シート１の整合処理を行なうためには、リヤ側タンパ７ｂをフロント側へ向けて移動させつつもフロント側タンパ７ａをサイドレジ基準に停止させておく必要がある。このため、当該フィニッシャを付設する画像形成装置がサイドレジで記録シートを排出してくる場合には、フロント側タンパ７ａをサイドレジ基準に係止するラッチ機構が前述の構成に追加される。
【００３２】
図５は、かかるラッチ機構を示すものであり、スプリング８２で付勢されたラッチレバー８３を用いて、フロント側タンパ７ａの駆動ワイヤ７６が架け回されたプーリ７４ａの回転を係止するように構成されている。具体的には、上記プーリ７４ａと共に回転するギヤ８４を設ける一方、上記ラッチレバー８３によって特定一方向の回転のみが係止されるラッチギヤ８５を上記ギヤ８４に噛み合わせている。上記ラッチギヤ８５はその円周上の一か所にのみ係止溝が形成されており、かかる係止溝はフロント側タンパ７ａをサイドレジ基準に設定した際にラッチレバー８３の爪先と合致する位置に形成されている。また、上記ラッチギヤ８５はフロント側タンパ７ａがコンパイラトレイ３の中央方向へ前進する場合、すなわち矢線Ａ方向の回転のみラッチレバー８３によって係止され、フロント側タンパ７ａがホームポジション方向へ後退する場合には自由に回転できるようになっている。
【００３３】
従って、フロント側タンパ７ａをホームボジションから前進させていくと、かかるタンパ７ａがサイドレジ基準に到達した時点でラッチレバー８３の爪先がラッチギヤ８５の係止溝に引っ掛かり、フロント側タンパ７ａはスリップクラッチ８０の作用によってサイドレジ基準に係止される。また、このようにフロント側タンパ７ａがサイドレジ基準に係止されても、タンパの駆動モータ７９自体は依然回転を続けているのでリヤ側タンパ７ｂは前進を続け、その結果、図４（ｂ）に示すようにサイドレジでコンパイラトレイ３に収容されている記録シート１の両側端にタンパ７ａ，７ｂを当接させることができる。一方、ラッチレバー８３がラッチギヤ８５を係止している状態であっても、フロント側タンパ７ａはホームポジション方向へ後退することができるので、これらタンパ７ａ，７ｂの駆動モータ７９を所定量逆転させ再度正転させることにより、タンパ７ａ，７ｂで記録シート１の両側端を叩くタンピング動作を行なわせることができる。
【００３４】
尚、後述するように、サイドレジで整合処理のなされたシート束に対してオフセット処理を施す際には、フロント側タンパ７ａがサイドレジ基準を越えてリヤ側へ移動する必要があることから、前述のラッチ機構では上記ラッチレバー８３にソレノイド８６を連結し、ラッチギヤ８５とラッチレバー８３との係止状態をスプリング８２の付勢力に抗して解除できるようになっている。
【００３５】
そして、以上のように構成された本実施例のフィニッシャは、画像形成装置から連続して排出される記録シート１を順次コンパイラトレイ３に収容すると共に、上記タンパ７ａ，７ｂを用いてその整合処理を行ない、必要に応じてステープリング処理を施した後に当該シート束を排出トレイ４あるいは図示外の紙折り装置へと排出するように動作し、かかる排出に際してはシート束をコンパイラトレイ３の幅方向へ千鳥状にずらして排出するオフセット処理を選択することができる。
【００３６】
以下、図６及び図７を参照しながら、記録シートがサイドレジで整合される場合のステープリング処理及びオフセット処理の具体的手順について説明する。
先ず、記録シート１がコンパイラトレイ３に１枚収容される度毎にタンパ７ａ，７ｂはタンピング動作を行ない、記録シート１が積み重ねられたシート束１０の整合処理を行なう（図６、分図ａ参照）。このとき、前述のラッチ機構ではソレノイド８６によるラッチ解除は行なわれておらず、フロント側タンパ７ａはサイドレジ基準より中央へ移動することはない。そして、シート束１０を形成する全ての記録シート１がコンパイラトレイ３へ収容されると、タンパ７ａ，７ｂはシート束１０の両側端に当接して当該シート束１０を押さえ込み、この状態で開放されていたクランパ２４，３６が閉じてシート束１０を挟み込む（分図ｂ参照）。
【００３７】
これによりシート束１０は整合済みの状態でコンパイラトレイ３上に固定され、引き続いてステープリング処理が開始される。すなわち、タンパ７ａ，７ｂがホームポジションヘ後退した後（分図ｃ参照）、ステープラ５はフロント側の第１処理位置へ移動してステープリング処理を行ない、更にリヤ側の第２処理位置へ移動してステープリング処理を行なう（分図ｄ参照）。
【００３８】
このようにしてステープリング処理が終了すると、これに引き続いてオフセット処理が実行される。但し、連続する複数部のシート束１０を千鳥状に排出するに当たっては一部おきにオフセット処理を行なえばよいので、オフセット処理の必要のないシート束１０についてはこの時点でコンパイラトレイ３から排出される。
【００３９】
オフセット処理の開始に当たっては、先ず、タンパ７ａ，７ｂが再度シート束１０の両側端のレジ位置へ設定される。このとき、フロント側タンパ７ａのラッチは依然解除されておらず、当該タンパ７ａはサイドレジ基準で停止する一方、リヤ側タンパ７ｂはシート束１０の側端に当接する前に第２処理位置に設定されたステープラ５と当接し、そのままの状態で係止される（図７、分図ａ参照）。また、シート束１０を挟み込んでいたクランパ２４，３６はこの時点で開放される。
【００４０】
そして、ソレノイド８６によるフロント側タンパ７ａのラッチ解除を行なった後、フロント側タンパ７ａ及びステープラ５を共にリヤ側へ移動させることにより、シート束１０のオフセットが行なわれる（分図ｂ参照）。このとき、ステープラ５はリヤ側へオフセットするシート束１０と共に移動するので、シート束１０がステプーラ５に引っ掛かることがなく、当該シート束１０を円滑にオフセットさせることができるものである。
【００４１】
また、フロント側タンパ７ａをリヤ側へ移動させると、本来リヤ側タンパ７ｂはフロント側へ移動することとなるが、かかるタンパ７ｂはシート束１０と共にリヤ側へ移動するステープラ５に当接しているので、タンパ７ｂの駆動系に介装されたスリップクラッチ８１の作用により、ステープラ５に押圧されてリヤ側へ移動することになる。従って、フロント側タンパ７ａをリヤ側タンパ７ｂと同一のモータ７９で駆動しつつも、これらタンパ７ａ，７ｂでオフセット処理を行なうことができる。尚、この場合は上記スリップクラッチ８１のスリップトルクをステープラ５の駆動力以下に設定しておくことが必要である。
【００４２】
このようにしてオフセット処理が終了したならば（分図ｃ参照）、上記クランパ２４，３６で再度シート束１０を挟み込み、シート束１０をコンパイラトレイ３から排出する（分図ｄ参照）。また、タンパ７ａ，７ｂは次のシート束１０の丁合いに備えてホームポジションに再設定され、フロント側タンパ７ａについてはサイドレジ基準へのラッチが再度行なわれる（分図ｅ参照）。
【００４３】
尚、以上のステープリング処理及びオフセット処理の説明は記録シートの搬送がサイドレジの場合であるが、フロント側タンパ７ａのラッチに関する説明を除いてはセンタレジの場合も同様であり、単に整合処理位置が異なるのみである。
【００４４】
【発明の効果】
以上説明してきたように、本発明のシート後処理装置によれば、丁合いトレイに収容されたシート束の整合処理を行なうタンパを用いて当該シート束のオフセット処理を実行するに当たり、かかるシート束に対してステープリング処理やパンチング処理を施す後処理ユニットをタンパと共に移動させるようにしたので、オフセットされるシート束にバックリングが発生するのを効果的に防止することができ、オフセット処理を円滑に行なうことが可能となる。
【００４５】
また、本発明のシート後処理装置では、オフセット処理の際に、シート束のオフセット方向に位置する一方のタンパを他方のタンパと共に移動する後処理ユニットで押圧し、これによって当該タンパをオフセット方向へ移動させるように構成することができ、シート束の両側端に当接する一対のタンパを一つのモータで駆動しながらも、シート束の整合処理及びオフセット処理の双方をこれらタンパで行なうことが可能となる。
【図面の簡単な説明】
【図１】  本発明が適用されるシート後処理装置の実施例を示す概略図である。
【図２】  実施例に係るシート後処理装置のステープラ及びその駆動系を示す斜視図である。
【図３】  実施例に係るシート後処理装置のタンパ及びその駆動系を示す斜視図である。
【図４】  記録シートの整合処理におけるセンタレジ及びサイドレジを説明する図である。
【図５】  実施例に係るシート後処理装置のフロント側タンパのラッチ機構を示す斜視図である。
【図６】  実施例に係るシート後処理装置のステープリング処理の一例を説明する図である。
【図７】  実施例に係るシート後処理装置のオフセット処理の一例を説明する図である。
【符号の説明】
５…ステープラ（シート後処理ユニット）、７ａ…フロント側タンパ，７ｂ…リヤ側タンパ、１０…シート束
【図１】
0003728819.tif 000002
【図２】
0003728819.tif 000003
【図３】
0003728819.tif 000004
【図４】
0003728819.tif 000005
【図５】
0003728819.tif 000006
【図６】
0003728819.tif 000007
【図７】
0003728819.tif 000008